(57)【要約】【課題】製品の販売により得られる利益を予測する利益予測装置において、ユーザが置かれている状況に合った利益予測を行えるようにする。【解決手段】パラメータ登録手段１１は、装置側で予め用意してある、利益予測を行うために使用するパラメータ（現在の顧客数等）の一覧を含むパラメータ登録画面を表示部４に表示する。ユーザは、パラメータの一覧中から利益予測に使用するパラメータを選択すると共に選択したパラメータのパラメータ値を入力する。パラメータ・計算式対応部２２には、パラメータの組み合わせ毎に、利益予測に使用する計算式が登録されており、計算式入力手段１２は、ユーザがパラメータ登録画面を用いて選択したパラメータの組み合わせに対応した計算式を、パラメータ・計算式対応部２２から選択する。手段１３〜１５は、ユーザによって入力された各パラメータの値及び計算式に基づいて利益予測を行う。【選択図】　　　図１
2004078510.tif 000002
【特許請求の範囲】
【請求項１】
製品の販売に伴う利益を予測する利益予測装置であって、
前記製品の販売に伴う利益を予測する際に使用する複数のパラメータ及び該複数のパラメータそれぞれのパラメータ値が保存されるパラメータ保存部と、
前記製品の販売に伴う利益を予測するための計算式であって、前記パラメータ保存部に保存されている各パラメータを含んだ計算式が保存される計算式保存部と、
ユーザの指示に従って、前記パラメータ保存部にパラメータと該パラメータのパラメータ値とを登録するパラメータ登録手段と、
ユーザの指示に従って、前記製品の販売に伴う利益を予測する際に使用する計算式であって、前記パラメータ保存部に保存されている各パラメータを含んだ計算式を前記計算式保存部に登録する計算式入力手段と、
前記計算式保存部に保存されている計算式と、前記パラメータ保存部に保存されている各パラメータのパラメータ値とを使用して、前記製品の販売に伴う利益を予測する計算手段とを備えたことを特徴とする利益予測装置。
【請求項２】
請求項１記載の利益予測装置において、
前記パラメータ登録手段が、装置側で予め用意してある複数のパラメータの一覧と、該パラメータの一覧中からユーザに利益予測に使用するパラメータを選択させるための選択欄と、ユーザに選択したパラメータのパラメータ値を入力させるための入力欄とを含んだパラメータ登録画面を表示部上に表示し、ユーザが前記パラメータ登録画面上で選択したパラメータ及び前記パラメータ登録画面上で入力したパラメータ値を前記パラメータ保存部に登録する構成を有することを特徴とする利益予測装置。
【請求項３】
請求項２記載の利益予測装置において、
前記装置側で用意されている複数のパラメータの内の一部或いは全てのパラメータを使用した、利益予測を行うための各計算式が、その計算式で使用しているパラメータの組み合わせと対応付けて登録されたパラメータ・計算式対応部を備え、且つ、
前記計算式入力手段の代わりに、前記パラメータ登録画面上でユーザによって選択されたパラメータの組み合わせと対応する計算式を前記パラメータ・計算式対応部から選択し、該選択した計算式を前記計算式保存部に登録する計算式入力手段を備えたことを特徴とする利益予測装置。
【請求項４】
請求項３記載の利益予測装置において、
前記パラメータ登録画面が、ユーザ固有のパラメータ及びパラメータ値の入力欄を有し、
前記パラメータ登録手段が、前記パラメータ登録画面上でユーザによって入力されたユーザ固有のパラメータ及びパラメータ値を前記パラメータ保存部に登録する構成を有し、
前記計算式入力手段が、前記パラメータ・計算式対応部から選択した計算式をユーザの指示に従って修正する構成を有することを特徴とする利益予測装置。
【請求項５】
製品の販売に伴う利益を予測する際に使用する複数のパラメータ及び該複数のパラメータそれぞれのパラメータ値が保存されるパラメータ保存部と、前記製品の販売に伴う利益を予測するための計算式であって、前記パラメータ保存部に保存されている各パラメータを含んだ計算式が保存される計算式保存部とを備えたコンピュータを、前記製品の販売に伴う利益を予測する利益予測装置として機能させるためのプログラムであって、
前記コンピュータを、
ユーザの指示に従って、前記パラメータ保存部にパラメータと該パラメータのパラメータ値とを登録するパラメータ登録手段、
ユーザの指示に従って、前記製品の販売に伴う利益を予測する際に使用する計算式であって、前記パラメータ保存部に保存されている各パラメータを含んだ計算式を前記計算式保存部に登録する計算式入力手段、
前記計算式保存部に保存されている計算式と、前記パラメータ保存部に保存されている各パラメータのパラメータ値とを使用して、前記製品の販売に伴う利益を予測する計算手段として機能させるためのプログラム。
【請求項６】
請求項５記載のプログラムにおいて、
前記パラメータ登録手段が、装置側で予め用意してある複数のパラメータの一覧と、該パラメータの一覧中からユーザに利益予測に使用するパラメータを選択させるための選択欄と、ユーザに選択したパラメータのパラメータ値を入力させるための入力欄とを含んだパラメータ登録画面を表示部上に表示し、ユーザが前記パラメータ登録画面上で選択したパラメータ及び前記パラメータ登録画面上で入力したパラメータ値を前記パラメータ保存部に登録する構成を有することを特徴とするプログラム。
【請求項７】
請求項６記載のプログラムにおいて、
前記計算式入力手段の代わりに、前記パラメータ登録画面上でユーザによって選択されたパラメータの組み合わせと対応する計算式を、前記装置側で用意されている複数のパラメータの内の一部或いは全てのパラメータを使用した、利益予測を行うための各計算式が、その計算式で使用しているパラメータの組み合わせと対応付けて登録されているパラメータ・計算式対応部から選択し、該選択した計算式を前記計算式保存部に登録する計算式入力手段を備えたことを特徴とするプログラム。
【請求項８】
請求項７記載のプログラムにおいて、
前記パラメータ登録画面が、ユーザ固有のパラメータ及びパラメータ値の入力欄を有し、
前記パラメータ登録手段が、前記パラメータ登録画面上でユーザによって入力されたユーザ固有のパラメータ及びパラメータ値を前記パラメータ保存部に登録する構成を有し、
前記計算式入力手段が、前記パラメータ・計算式対応部から選択した計算式をユーザの指示に従って修正する構成を有することを特徴とするプログラム。
【発明の詳細な説明】
【０００１】
【発明の属する技術分野】
本発明は、製品の販売により得られる利益を予測する利益予測技術に関し、特に、ユーザの状況に応じて適切なパラメータを使用して利益を予測することができる利益予測技術に関する。
【０００２】
【従来の技術】
従来からコンピュータにより構成された利益予測装置を使用して、製品の販売に伴う利益を予測するということが行われている。従来のこの種の利益予測装置は、一般に、利益の予測に使用するパラメータ（例えば、販売予測量、販売コストなど）の種類が固定的に定まっており、ユーザが入力した各パラメータの値と、予め固定的に定められている計算式とに基づいて利益を予測するようにしている（例えば、特開平９−３０５６６３号公報、特開平１１−２５９５６２号公報等）。
【０００３】
【発明が解決しようとする課題】
上述したように、従来の利益予測装置は、予め固定的に定められているパラメータ及び計算式を使用して製品の販売に伴う利益を予測するようにしているため、ユーザが置かれている状況に合った利益を予測することができない場合があるといった問題があった。例えば、ユーザが担当している販売地域や、販売先の業種によっては、固定的に定められているパラメータ以外に、利益を予測する上で重要なパラメータがある場合があり、このような場合、ユーザが置かれている状況に応じた利益を予測することができない。
【０００４】
そこで，本発明の目的は、ユーザが置かれている状況に合った利益予測を行えるようにすることにある。
【０００５】
【課題を解決するための手段】
本発明の利益予測装置は、上記目的を達成するため、
製品の販売に伴う利益を予測する利益予測装置であって、
前記製品の販売に伴う利益を予測する際に使用する複数のパラメータ及び該複数のパラメータそれぞれのパラメータ値が保存されるパラメータ保存部と、
前記製品の販売に伴う利益を予測するための計算式であって、前記パラメータ保存部に保存されている各パラメータを含んだ計算式が保存される計算式保存部と、
ユーザの指示に従って、前記パラメータ保存部にパラメータと該パラメータのパラメータ値とを登録するパラメータ登録手段と、
ユーザの指示に従って、前記製品の販売に伴う利益を予測する際に使用する計算式であって、前記パラメータ保存部に保存されている各パラメータを含んだ計算式を前記計算式保存部に登録する計算式入力手段と、
前記計算式保存部に保存されている計算式と、前記パラメータ保存部に保存されている各パラメータのパラメータ値とを使用して、前記製品の販売に伴う利益を予測する計算手段とを備えている。
【０００６】
また、本発明の利益予測装置は、ユーザが利益予測を行う際に使用するパラメータを容易に登録できるようにするため、
前記パラメータ登録手段が、装置側で予め用意してある複数のパラメータの一覧と、該パラメータの一覧中からユーザに利益予測に使用するパラメータを選択させるための選択欄と、ユーザに選択したパラメータのパラメータ値を入力させるための入力欄とを含んだパラメータ登録画面を表示部上に表示し、ユーザが前記パラメータ登録画面上で選択したパラメータ及び前記パラメータ登録画面上で入力したパラメータ値を前記パラメータ保存部に登録する構成を有する。
【０００７】
また、本発明の利益予測装置は、ユーザによる計算式の登録作業を不要にするため、
前記装置側で用意されている複数のパラメータの内の一部或いは全てのパラメータを使用した、利益予測を行うための各計算式が、その計算式で使用しているパラメータの組み合わせと対応付けて登録されたパラメータ・計算式対応部を備え、且つ、
前記計算式入力手段の代わりに、前記パラメータ登録画面上でユーザによって選択されたパラメータの組み合わせと対応する計算式を前記パラメータ・計算式対応部から選択し、該選択した計算式を前記計算式保存部に登録する計算式入力手段を備えている。
【０００８】
また、本発明の利益予測装置は、装置側で用意されていないユーザ固有のパラメータも使用できるようにするため、
前記パラメータ登録画面が、ユーザ固有のパラメータ及びパラメータ値の入力欄を有し、
前記パラメータ登録手段が、前記パラメータ登録画面上でユーザによって入力されたユーザ固有のパラメータ及びパラメータ値を前記パラメータ保存部に登録する構成を有し、
前記計算式入力手段が、前記パラメータ・計算式対応部から選択した計算式をユーザの指示に従って修正する構成を有している。
【０００９】
【作用】
利益予測を行う場合、ユーザは、パラメータ登録手段を用いて利益予測を行うために必要になると考えるパラメータ、パラメータ値をパラメータ保存部に登録すると共に、計算式入力手段を用いて利益予測を行う際に使用する計算式を計算式保存部に登録する。計算手段では、ユーザが登録したパラメータ値、計算式を使用して利益予測を行う。このように、ユーザが入力したパラメータ、パラメータ値、計算式に基づいて、利益予測を行っているので、ユーザの置かれている状況にあった利益予測を行うことが可能になる。
【００１０】
また、本発明の利益予測装置は、パラメータ登録手段が、装置側で予め用意してある複数のパラメータの一覧と、パラメータの一覧中からユーザに利益予測に使用するパラメータを選択させるための選択欄と、ユーザにパラメータ値を入力させるための入力欄とを含んだパラメータ登録画面を表示部上に表示するので、ユーザは、利益予測に使用するパラメータの登録を容易に行うことができる。
【００１１】
また、本発明の利益予測装置は、計算式入力手段が、パラメータ登録画面上でユーザによって選択されたパラメータの組み合わせと対応する計算式を、パラメータ・計算式対応部から選択して計算式保存部に登録するようにしているので、ユーザによる計算式の登録作業を不要にすることができる。
【００１２】
また、本発明の利益予測装置は、パラメータ登録画面がユーザ固有のパラメータ及びパラメータ値の入力欄を有し、且つ、計算式入力手段が、パラメータ・計算式対応部から選択した計算式をユーザの指示に従って修正する構成を有しているので、ユーザ固有のパラメータも使用することができる。
【００１３】
【発明の実施の形態】
次に本発明の実施の形態について図面を参照して詳細に説明する。
【００１４】
図１は本発明に係る利益予測装置の実施例のブロック図であり、処理部１と、記憶部２と、キーボード等の入力部３と、ＬＣＤ等の表示部４と、記録媒体５とから構成されている。
【００１５】
記憶部２は、パラメータ保存部２１と、パラメータ・計算式対応部２２と、計算式保存部２３とを備えている。
【００１６】
処理部１は、例えば、コンピュータによって実現されるものであり、パラメータ登録手段１１と、計算式入力手段１２と、収入増計算手段１３と、投資／コスト計算手段１４と、利益算定手段１５とから構成されている。
【００１７】
パラメータ登録手段１１は、表示部４にパラメータ登録画面を表示する機能や、ユーザがパラメータ登録画面を用いて入力した利益予測を行う製品の製品名と、上記製品の利益予測を行う際に使用するパラメータ及びパラメータ値とを対応付けてパラメータ保存部２１に登録する機能などを有する。
【００１８】
図２にパラメータ登録画面２００の一例を示す。同図に示すパラメータ登録画面２００は、利益予測の対象にする製品の製品名の入力欄２０１と、装置側で予め用意している現時点のビジネス規模に関するパラメータの一覧２０３と、一覧２０３中から利益予測に使用するパラメータを選択するための選択欄２０２と、選択欄２０２によって選択されたパラメータのパラメータ値を入力するための入力欄２０４と、装置側で予め用意している収入増加に関するパラメータの一覧２０６と、一覧２０６中から利益予測に使用するパラメータを選択するための選択欄２０５と、選択欄２０５によって選択されたパラメータのパラメータ値を入力するための入力欄２０７と、装置側で予め用意しているコスト増加に関するパラメータの一覧２０９と、一覧２０９中から利益予測に使用するパラメータを選択するための選択欄２０８と、選択欄２０８によって選択されたパラメータのパラメータ値を入力するための入力欄２１０と、装置側で用意されていないユーザ固有のパラメータ及びパラメータ値の入力欄２１１、２１２とを含んでいる。
【００１９】
また、図３にパラメータ保存部２１の内容例を示す。同図に示すように、パラメータ保存部２１には、利益予測を行う製品の製品名「ＸＸＸ」、「ＹＹＹ」…毎に、その製品の利益予測を行う際に使用するパラメータとパラメータ値とが格納されている。図３の例は、製品名「ＸＸＸ」の製品Ｘの利益予測を行う場合には、パラメータとして「（製品Ｘの販売先にしている）現在の顧客数」、「（製品Ｘの販売することにより得られる）１ヶ月当りの利益」、「１社当りの毎月の売上拡大額」、「新規顧客の拡大率」、「毎月の運用コストの削減額」、「初期投資コスト」、「毎月の増加運用費用」を使用し、各パラメータのパラメータ値が「Ａ」、「Ｂ」、「Ｃ」、「Ｄ」、「Ｅ」、「Ｇ」、「Ｈ」であることを示している。
【００２０】
計算式入力手段１２は、ユーザがパラメータ登録画面２００の選択欄２０２、２０５、２０８を使用して選択したパラメータの組み合わせに対応した、利益予測に使用する計算式をパラメータ・計算式対応部２２から取り出す機能や、ユーザがパラメータ登録画面２００の入力欄２１１、２１２を使用してユーザ固有のパラメータ、パラメータ値を入力している場合は、パラメータ・計算式対応部２２から取り出した計算式を含む計算式修正画面を表示部４に表示する機能や、計算式修正画面上でユーザが行う計算式修正操作に従って計算式を修正し、修正後の計算式とユーザがパラメータ登録画面２００の入力欄２０１を用いて入力した製品名とを対応付けて計算式保存部２３に登録する機能や、ユーザがパラメータ登録画面２００を使用してユーザ固有のパラメータを入力していない場合は、パラメータ・計算式対応部２２から取り出した計算式を含む計算式確認画面を表示部４に表示する機能や、計算式確認画面に表示した計算式とユーザがパラメータ登録画面２００の入力欄２０１を用いて入力した製品名とを対応付けて計算式保存部２３に登録する機能等を有する。
【００２１】
図４はパラメータ・計算式対応部２２の内容例を示した図である。同図に示すように、パラメータ・計算式対応部２２には、パラメータの組み合わせそれぞれに対応して、利益予測する際に使用する計算式が登録されている。図４の例は、ユーザがパラメータ登録画面２００上の選択欄２０２、２０５、２０８を用いて選択したパラメータが、「現在の顧客数」、「１ヶ月当りの利益」、「１社当りの毎月の売上拡大額」、「新規顧客の拡大率」、「毎月の運用コストの削減額」、「初期投資コスト」、「毎月の増加運用費用」である場合には、利益予測を行う際に使用すべき計算式が、下記の２つの計算式（１）、（２）であることを示している。また、上記各パラメータに加えてパラメータ「製品コストの削減率」が選択された場合に使用すべき計算式が下記の２つの計算式（３）、（４）であることを示している。
【００２２】
｛（１社当りの毎月の売上拡大額）×（現在の顧客数）
＋（１ヶ月当りの利益）×（新規顧客の拡大率）／１００
＋（毎月の運用コストの削減額）｝×（シミュレーション期間）　　…　（１）
【００２３】
2004078510.tif 000003
【００２４】
［｛（１社当りの毎月の売上拡大額）×（現在の顧客数）
＋（１ヶ月当りの利益）×（新規顧客の拡大率）／１００｝
×｛１＋（製品コストの削減率）／１００｝
＋（毎月の運用コストの削減額）］×（シミュレーション期間）　　…　（３）
【００２５】
2004078510.tif 000004
【００２６】
ここで、計算式（１）、（３）は、収入増計算手段１３で使用される計算式であり、計算式（２）、（４）は投資／コスト計算手段１４で使用される計算式である。
【００２７】
図５は計算式保存部２３の内容例を示した図である。同図に示すように、計算式保存部２３には、利益予測を行う製品それぞれついて，利益予測を行う際に使用する計算式が登録されている。同図の例は、製品名「ＸＸＸ」の製品Ｘ、製品名ＹＹＹの製品Ｙ、…の利益予測を行う際に使用する計算式が、製品名「ＸＸＸ」、「ＹＹＹ」…に対応付けて登録されている。
【００２８】
収入増計算手段１３は、ユーザによって入力部３から製品名及びシミュレーション期間を含む利益予測指示が入力されたとき、パラメータ保存部２１に上記製品名と対応付けて登録されている各パラメータのパラメータ値と、計算式保存部２３に上記製品名と対応付けて登録されている収入増計算手段１３用に計算式と、上記シミュレーション期間とに基づいて、収入増加額の予測値を求める機能を有する。
【００２９】
投資／コスト計算手段１４は、ユーザによって入力部３から製品名及びシミュレーション期間を含む利益予測指示が入力されたとき、パラメータ保存部２１に上記製品名と対応付けて登録されている各パラメータのパラメータ値と、計算式保存部２３に上記製品名と対応付けて登録されている投資／コスト計算手段１４用の計算式と、上記シミュレーション期間とに基づいて、投資／コスト増加額の予測値を求める機能を有する。
【００３０】
利益算定手段１５は、収入増計算手段１３で求められた収入増加額の予測値から投資／コスト計算手段１４で求められた投資／コスト増加額の予測値を減算し、減算結果を利益の予測額として表示部４に表示する機能を有する。
【００３１】
記録媒体５は、ディスク、半導体メモリ、その他の記録媒体であり、コンピュータからなる処理部１を利益予測装置の一部として機能させるためのプログラムが記録されている。このプログラムは、処理部１によって読み取られ、その動作を制御することで、処理部１上にパラメータ登録手段１１、計算式入力手段１２、収入増計算手段１３、投資／コスト計算手段１４、利益算定手段１５を実現する。
【００３２】
【実施例の動作の説明】
次に、各図を参照して本実施例の動作について詳細に説明する。
【００３３】
ユーザは、或る製品についての利益予測を行う場合、先ず、パラメータ登録手段１１を動作させる。
【００３４】
これにより、パラメータ登録手段１１は、パラメータ登録画面を表示部４上に表示する（図６，ステップＳ６１）。今、例えば、図２に示すようなパラメータ登録画面２００が表示されたとする。但し、この時点では、パラメータの一覧２０３、２０６、２０９に装置側で用意している各パラメータが表示されているだけで、入力欄２０１、２０４、２０７、２１０、２１１、２１２や、選択欄２０２、２０５、２０８は空白になっている。
【００３５】
パラメータ登録画面２００が表示されると、ユーザは、製品名の入力欄２０１に利益予測を行う製品の製品名を入力する（ステップＳ６２）。今、例えば、ユーザが入力欄２０１に製品Ｘの製品名「ＸＸＸ」を入力したとする。
【００３６】
パラメータ登録手段１１は、入力欄２０１に製品名「ＸＸＸ」が入力されると、パラメータ保存部２１を検索し、製品名「ＸＸＸ」に対応付けてパラメータ、パラメータ値が保存されているか否かを調べる（ステップＳＳ６３）。
【００３７】
そして、保存されていない場合（ステップＳ６４がＮＯ）は、ユーザによるパラメータの選択操作、パラメータ値の入力操作が終わるのを待つ（ステップＳ６６）。
【００３８】
これに対して、保存されている場合（ステップＳ６４がＹＥＳ）は、パラメータ保存部２１の保存内容をパラメータ登録画面２００の選択欄２０２、２０５、２０８及びパラメータ値の入力欄２０４、２０７、２１０に反映させた後、ユーザによるパラメータの選択操作、パラメータ値の入力操作が終わるのを待つ（ステップＳ６５、Ｓ６６）。例えば、パラメータ保存部２１に、パラメータ「現在の顧客数」と、このパラメータに対するパラメータ値「Ａ（社）」とが保存されていれば、パラメータ登録画面２００上のパラメータ「現在の顧客数」に対応する数値入力欄２０４に「Ａ（社）」を入力すると共に、パラメータ「現在の顧客数」に対応する選択欄２０２に選択済みを示す「レ」を入力する。このように、製品Ｘに関するパラメータ、パラメータ値を登録しようとしたとき、製品Ｘについて過去に登録したパラメータ、パラメータ値がパラメータ登録画面２００の選択欄２０２、２０５、２０８及びパラメータ値の入力欄２０４、２０７、２１０に反映されるので、パラメータの選択操作やパラメータ値の入力操作を簡単なものにすることができる。
【００３９】
ステップＳ６６において、ユーザは、パラメータ登録画面２００の選択欄２０２、２０５、２０８を使用して製品名「ＸＸＸ」の製品Ｘの利益予測に使用するパラメータを選択すると共に、選択したパラメータのパラメータ値を入力欄２０４、２０７、２１０に入力する。また、必要に応じてユーザ固有のパラメータ、パラメータ値を入力欄２１１、２１２に入力する。
【００４０】
ユーザによるパラメータの選択操作、パラメータ値の入力操作が完了すると、パラメータ登録手段１１は、製品名の入力欄２０１に入力された製品名「ＸＸＸ」と、選択欄２０２、２０５、２０８によって選択されたパラメータと、数値入力欄２０４、２０７、２１０に入力されたパラメータ値とを対応付けてパラメータ保存部２１に登録し、その後、計算式入力手段１２を起動する（ステップＳ６７）。尚、パラメータ保存部２１に、製品名「ＸＸＸ」の製品Ｘの利益予測に使用するパラメータ、パラメータ値が既に登録されている場合には、既存の情報を今回入力された情報で置き換え、登録されていない場合は、今回入力された情報をパラメータ保存部２１に追加登録する。
【００４１】
今、例えば、ユーザが、パラメータ登録画面２００の入力欄２０１を用いて製品名「ＸＸＸ」を入力し、選択欄２０２、２０５、２０８を用いてパラメータ「現在の顧客数」、「１ヶ月当りの利益」、「１社当りの毎月の売上拡大額」、「新規顧客の拡大率」、「毎月の運用コストの削減額」、「初期投資コスト」、「毎月の増加運用費用」を選択し、入力欄２０４、２０７、２１０を用いて、上記各パラメータのパラメータ値「Ａ」、「Ｂ」、「Ｃ」、「Ｄ」、「Ｅ」、「Ｇ」、「Ｈ」を入力したとすると、パラメータ保存部２１には、図３に示すような情報が登録される。
【００４２】
計算式入力手段１２は、パラメータ登録手段１１から起動されると、ユーザがパラメータ登録画面２００を用いて選択したパラメータと、ユーザがパラメータ登録画面２００を用いて入力した製品名「ＸＸＸ」とをパラメータ登録手段１１から取得する（図７、ステップＳ７１）。
【００４３】
その後、計算式入力手段１２は、パラメータ・計算式対応部２２を検索し、ステップＳ７１で取得したパラメータの組み合わせに対応して登録されている計算式を選択する（ステップＳ７２）。今、例えば、パラメータ・計算式対応部２２の内容が図４に示すものであり、ユーザがパラメータ登録画面２００を用いて選択したパラメータが「現在の顧客数」、「１ヶ月当りの利益」、「１社当りの毎月の売上拡大額」、「新規顧客の拡大率」、「毎月の運用コストの削減額」、「初期投資コスト」、「毎月の増加運用費用」であった場合、ステップＳ７２で選択される計算式は、下記の２つの計算式（５）、（６）となる。
【００４４】
｛（１社当りの毎月の売上拡大額）×（現在の顧客数）
＋（１ヶ月当りの利益）×（新規顧客の拡大率）／１００
＋（毎月の運用コストの削減額）｝×（シミュレーション期間）　　…　（５）
【００４５】
2004078510.tif 000005
【００４６】
その後、計算式入力手段１２は、パラメータ登録手段１１に対して、ユーザがパラメータ登録画面２００を用いてユーザ固有のパラメータ、パラメータ値を入力したか否かを問い合わせる。そして、ユーザ固有のパラメータ、パラメータ値が入力されていない場合（ステップＳ７３がＮＯ）は、上記した計算式（５）、（６）を含む計算式確認画面を表示部４に表示してユーザに計算式を確認させた後、計算式（５）、（６）と、製品名「ＸＸＸ」とを対応付けて計算式保存部２３に登録する（ステップＳ７４，Ｓ７５）。尚、製品名「ＸＸＸ」に対応付けて既に計算式が登録されている場合には、その計算式を上記した計算式（５）、（６）で置き換え、登録されていない場合は、上記計算式（５）、（６）と製品名「ＸＸＸ」とを対応付けて計算式保存部２３に追加登録する。
【００４７】
これに対して、ステップＳ７３で、ユーザがパラメータ登録画面２００を用いてユーザ固有のパラメータ、パラメータ値を入力していると判断した場合（ステップＳ７３がＹＥＳ）は、計算式入力手段１２は、ステップＳ７２で選択した計算式（５）、（６）を含む計算式修正画面を表示部４に表示する（ステップＳ７６）。
【００４８】
計算式修正画面が表示部４に表示されると、ユーザは、計算式（５）、（６）を、ユーザ固有のパラメータを含んだものに修正する（ステップＳ７７）。
【００４９】
ユーザによる計算式の修正操作が完了すると、計算式入力手段１２は、修正済みの計算式と、製品名「ＸＸＸ」とを対応付けて計算式保存部２３に登録する（ステップＳ７８）。その際、計算式保存部２３に製品名「ＸＸＸ」に対応付けて計算式が既に登録されている場合には、既存の計算式を上記修正済みの計算式で置き換え、登録されていない場合は、上記修正済みの計算式と製品名「ＸＸＸ」とを対応付けて計算式保存部２３に追加登録する。
【００５０】
製品名「ＸＸＸ」の製品Ｘの利益予測を行うために必要になるパラメータ、パラメータ値、計算式の登録が完了すると、ユーザは、製品名「ＸＸＸ」とシミュレーション期間「Ｓｉ」とを含む利益予測指示を入力部３から入力する。
【００５１】
収入増計算手段１３は、入力部３から製品名「ＸＸＸ」とシミュレーション期間「Ｓｉ」とを含む利益予測指示が入力されると、先ず、パラメータ保存部２１から、製品名「ＸＸＸ」に対応付けて登録されているパラメータ、パラメータ値を取得する（図８、ステップＳ８１）。今、例えば、パラメータ保存部２１の内容が、図３に示すものであるとすると、収入増計算手段１３は、パラメータ「現在の顧客数」、「１ヶ月当りの利益」、「１社当りの毎月の売上拡大額」、「新規顧客の拡大率」、「毎月の運用コストの削減額」、「初期投資コスト」、「毎月の増加運用費用」と、そのパラメータ値「Ａ」、「Ｂ」、「Ｃ」、「Ｄ」、「Ｅ」、「Ｇ」、「Ｈ」とを取得することになる。尚、パラメータ保存部２１に、製品名「ＸＸＸ」に対応付けてパラメータ、パラメータ値が登録されていない場合は、「利益予測を行うために必要なパラメータ、パラメータ値が登録されていませんので、登録して下さい」等のメッセージを表示部４に表示した後、処理を終了する。
【００５２】
その後、収入増計算手段１３は、計算式保存部２３から製品名「ＸＸＸ」に対応付けて登録されている収入増計算手段１３用の計算式を取得する（ステップＳ８２）。今、例えば、計算式保存手段２３の内容が、図４に示すものであるとすると、収入増計算手段１３は、下記の計算式（７）を取得することになる。尚、計算式保存部２３に製品名「ＸＸＸ」に対応付けて計算式が登録されていない場合は、「利益予測を行うために必要な計算式が登録されていませんので、登録して下さい」等のメッセージを表示部４に表示した後、処理を終了する。
【００５３】
｛（１社当りの毎月の売上拡大額）×（現在の顧客数）
＋（１ヶ月当りの利益）×（新規顧客の拡大率）／１００
＋（毎月の運用コストの削減額）｝×（シミュレーション期間）　　…　（７）
【００５４】
その後、収入増計算手段１３は、ステップＳ８１で取得した各パラメータのパラメータ値と、ステップＳ８２で取得した計算式（７）と、利益予測指示に含まれているシミュレーション期間「Ｓｉ」とに基づいて、収入増加額の予測値を計算し、計算結果を利益算定手段１５に渡す（ステップＳ８３）。この例の場合、収入増加額の予測値は、次式（８）に示すものとなる。
【００５５】
収入増加額の予測値＝（Ｃ×Ａ＋Ｂ×Ｄ／１００＋Ｅ）×Ｓｉ　　…　（８）
【００５６】
一方、投資／コスト計算手段１４は、入力部３から製品名「ＸＸＸ」及びシミュレーション期間「Ｓｉ」を含む利益予測指示が入力されると、パラメータ保存部２１から製品名「ＸＸＸ」に対応付けて登録されているパラメータ、パラメータ値を取得する（図９、ステップＳ９１）。今、例えば、パラメータ保存部２１の内容が、図３に示すものであるとすると、収入増計算手段１３は、パラメータ「現在の顧客数」、「１ヶ月当りの利益」、「１社当りの毎月の売上拡大額」、「新規顧客の拡大率」、「毎月の運用コストの削減額」、「初期投資コスト」、「毎月の増加運用費用」と、そのパラメータ値「Ａ」、「Ｂ」、「Ｃ」、「Ｄ」、「Ｅ」、「Ｇ」、「Ｈ」とを取得することになる。尚、パラメータ保存部２１に、製品名「ＸＸＸ」に対応付けてパラメータ、パラメータ値が登録されていない場合は、投資／コスト計算手段１４は、処理を終了する。
【００５７】
その後、投資／コスト計算手段１４は、計算式保存部２３から製品名「ＸＸＸ」に対応付けて登録されている投資／コスト計算手段１４用の計算式を取得する（ステップＳ９２）。今、例えば、計算式保存部２３の内容が、図４に示すものであるとすると、下記の計算式（９）を取得することになる。尚、計算式保存部２３に製品名「ＸＸＸ」に対応付けて計算式が登録されていない場合は、投資／コスト計算手段１４は、処理を終了する。
【００５８】
2004078510.tif 000006
【００５９】
その後、投資／コスト計算手段１４は、ステップＳ９１で取得した各パラメータのパラメータ値と、ステップＳ９２で取得した計算式（９）と、利益予測指示に含まれているシミュレーション期間「Ｓｉ」とに基づいて、投資／コスト増加額の予測値を計算し、計算結果を利益算定手段１５に渡す（ステップＳ９３）。この例の場合、投資／コスト増加額の予測値は、次式（１０）に示すものとなる。
【００６０】
投資／コスト増加額の予測値＝Ｇ＋Ｈ×Ｓｉ　　　　…　（１０）
【００６１】
利益算定手段１５は、収入増計算手段１３が求めた収入増加額の予測値から投資／コスト計算手段１４が求めた投資／コスト増加額の予測値を減算し、減算結果を利益の予測値として表示部４に表示する（図１０、ステップＳ１０１、Ｓ１０２）。この例の場合、利益の予測値は、次式（１１）に示すものとなる。
【００６２】
2004078510.tif 000007
【００６３】
【発明の効果】
以上説明したように本発明の利益予測装置は、ユーザが利益予測を行うために必要になると考えるパラメータ、パラメータ値を登録するパラメータ登録手段と、ユーザが利益予測を行うために必要になると考える計算式を登録する計算式入力手段と、ユーザが登録したパラメータ値、計算式を使用して利益予測を行う計算手段とを備えており、ユーザが利益予測に使用するパラメータや計算式を自由に指定できるので、ユーザの置かれている状況にあった利益予測を行うことが可能になる。
【００６４】
また、本発明の利益予測装置は、パラメータ登録手段が、装置側で予め用意してある複数のパラメータの一覧と、パラメータの一覧中からユーザに利益予測に使用するパラメータを選択させるための選択欄と、ユーザに選択パラメータのパラメータ値を入力させるための入力欄とを含んだパラメータ登録画面を表示部上に表示するので、ユーザは、パラメータの一覧中から利益予測に使用するパラメータを選択するという簡単な操作を行うだけで、利益予測に使用するパラメータを登録することができる。
【００６５】
更に、本発明の利益予測装置は、計算式入力手段が、パラメータ登録画面上でユーザによって選択されたパラメータの組み合わせと対応する計算式を、パラメータ・計算式対応部から選択して計算式保存部に格納するようにしているので、ユーザによる計算式の登録作業を不要にすることができる。
【００６６】
また、本発明の利益予測装置は、パラメータ登録画面がユーザ固有のパラメータ及びパラメータ値の入力欄を有し、且つ、計算式入力手段が、パラメータ・計算式対応部から選択した計算式をユーザの指示に従って修正する構成を有しているので、ユーザ固有のパラメータも使用することができる。
【図面の簡単な説明】
【図１】本発明の実施例のブロック図である。
【図２】パラメータ登録画面２００の一例を示す図である。
【図３】パラメータ保存部２１の内容例を示す図である。
【図４】パラメータ・計算式対応部２２の内容例を示す図である。
【図５】計算式保存部２３の内容例を示す図である。
【図６】パラメータ登録手段１１の処理例を示す流れ図である。
【図７】計算式入力手段１２の処理例を示す流れ図である。
【図８】収入増計算手段１３の処理例を示す流れ図である。
【図９】投資／コスト計算手段１４の処理例を示す流れ図である。
【図１０】利益算定手段１５の処理例を示す流れ図である。
【符号の説明】
１…処理部
１１…パラメータ登録手段
１２…計算式入力手段
１３…収入増計算手段
１４…投資／コスト計算手段
１５…利益算定手段
２…記憶部
２１…パラメータ保存部
２２…パラメータ・計算式対応部
２３…計算式保存部
３…入力部
４…表示部
５…記録媒体
【図１】
2004078510.tif 000008
【図２】
2004078510.tif 000009
【図３】
2004078510.tif 000010
【図４】
2004078510.tif 000011
【図５】
2004078510.tif 000012
【図６】
2004078510.tif 000013
【図７】
2004078510.tif 000014
【図８】
2004078510.tif 000015
【図９】
2004078510.tif 000016
【図１０】
2004078510.tif 000017